(57)【要約】【課題】左側のハウジング側から右側のハウジング側に駆動電流を供給するためのコードをヘッドバンドの保持溝に配索するようにしたヘッドホンにおいて、ヘッドバンドに対してハウジングの高さ調整を行なった場合に、コードが外部に露出したりあるいは突っ張ったりすることなく円滑に伸縮が行なわれるようにし、しかもコードの伸縮のための特別なケースを必要としないようにしたヘッドホンを提供する。【解決手段】ヘッドバンド１７に対してハウジング１５を摺動可能に支持するスライダ２２を中空の筒体とし、この筒体内にコード２７の螺旋状のカール部２８を収納し、スライダ２２の移動に伴うコード２７の伸縮を、スライダ２２内におけるカール部２８の伸縮によって吸収する。【選択図】図９
2008066977.tif 000002
【特許請求の範囲】
【請求項１】
ヘッドバンドの両端にそれぞれハンガを介してドライブユニットを収納した左右のハウジングを取付けたヘッドホンにおいて、
前記ハンガに中空の筒体から成るスライダが取付けられ、該スライダが前記ヘッドバンドの両端の摺動支持部に摺動自在に支持され、
前記左右のハウジング間に配索されて一方のハウジング内のドライブユニットに駆動電流を流すコードを前記スライダを構成する中空の筒体内に螺旋状にして伸縮自在に収納したことを特徴とするヘッドホン。
【請求項２】
前記スライダに軸線方向に延びる引出し溝が形成され、螺旋状にして収納された前記コードを前記引出し溝を通して引出すことを特徴とする請求項１に記載のヘッドホン。
【請求項３】
前記コードの一端部が前記摺動支持部内において前記引出し溝から引出されて前記ヘッドバンドの保持溝内に配索されることを特徴とする請求項２に記載のヘッドホン。
【請求項４】
前記スライダの下端部が前記ハンガの上端に回動自在に軸受によって連結されるとともに、前記軸受を構成するように前記スライダの下端に該スライダと軸線が直交して取付けられた回動筒体内を前記コードの他端が引出されて前記ハンガの保持溝内に配索されることを特徴とする請求項３に記載のヘッドホン。
【請求項５】
前記摺動支持部に爪が設けられ、該爪が前記引出し溝に係合して前記スライダの回転を防止するとともに、前記ヘッドバンドと前記ハンガとの間の距離を短くするように前記スライダを前記摺動支持部内において摺動させると、前記爪が前記スライダ内に螺旋状に収納されている前記コードを軸線方向に縮めることを特徴とする請求項２に記載のヘッドホン。
【請求項６】
ヘッドバンドの両端にそれぞれハンガを介してドライブユニットを収納した左右のハウジングを取付けたヘッドホンにおいて、
前記ハンガにロッド状をなすスライダが取付けられ、該スライダが前記ヘッドバンドの両端の摺動支持部に摺動自在に支持され、
前記左右のハウジング間に配索されて一方のハウジング内のドライブユニットに駆動電流を流すコードを前記ロッド状のスライダの外周面上に螺旋状に巻装して伸縮自在としたことを特徴とするヘッドホン。
【請求項７】
前記ロッド状をなすスライダがＵ字状に屈曲され、前記Ｕ字状に屈曲された端部側が前記摺動支持部に摺動自在に支持されるとともに、前記スライダの２本に分離された反対側の端部が前記ハンガの上端に連結されていることを特徴とする請求項６に記載のヘッドホン。
【請求項８】
前記ロッド状のスライダに巻装されたコードの上端が前記摺動支持部内に引出されるとともに、該摺動支持部に係止手段によって係止されることを特徴とする請求項６に記載のヘッドホン。
【請求項９】
前記引出されたコードが前記摺動支持部内の係止ピンの周囲を迂回するように屈曲されて係止されることを特徴とする請求項８に記載のヘッドホン。
【請求項１０】
前記ロッド状のスライダに巻装されたコードの下端が引出し案内部で引出されて前記ハンガの保持溝に配索されることを特徴とする請求項８に記載のヘッドホン。
【発明の詳細な説明】
【技術分野】
【０００１】
本発明はヘッドホンに係り、とくにヘッドバンドの両端にそれぞれハンガを介してドライブユニットを収納した左右のハウジングを取付けたヘッドホンに関する。
【背景技術】
【０００２】
音が外に洩れないようにしながら、例えば音楽を楽しむために、従来よりヘッドホンが広く用いられている。一般にヘッドホンは、ヘッドバンドの両端にそれぞれハンガを介して左右のハウジングを取付けた構造を有しており、上記ハウジング内には小型スピーカから成るドライブユニットが配されている。従ってこのドライブユニットのボイスコイルに電流を流すことによって、該ドライブユニットによって音声が再生される。
【０００３】
従って左右のハウジング内のドライブユニットにそれぞれ音声信号を供給するために、コードを左右のハウジング内のドライブユニットに接続している。ここでヘッドホンのコードは、左右のハウジングからそれぞれコードを別々に引出す方式と、右側のハウジングのコードをヘッドバンドを通して左側のハウジング内に導出し、該左側のハウジングから左右のドライブユニットに駆動電流を供給するコードを揃えて引出す方式とがある。前者の方式は、首の部分に左右２本のコードが引出されるために、ユーザに対して煩雑感や不快感を与える。これに対して後者の方式の場合は、左側のハウジングから合わされた１本のコードが引出されるようになり、これによってユーザに対する煩雑感を軽減できるようになる。
【０００４】
ところが後者の方式であって、右側のハウジング内のドライブユニットと接続されたコードをヘッドバンドを通して左側のハウジングに接続する方式は、ハウジングとヘッドバンドとの間の距離を調整するための伸縮機構の調整動作に応じて、このコードを伸縮調整するための機構を設ける必要がある。このような伸縮機構としては、コードを直接外部に露出させる方式の他に、コードを中間のスライダケース等の中に屈曲させて収納する等の構造が提案されている。図１は前者の外部にコードを露出させる構成を示している。ここではドライブユニットを収納したハウジング１をハンガ２に回動自在に取付け、このハンガ２に取付けられているスライダ３をヘッドバンド４の端部に固着された摺動支持部５の摺動孔に摺動自在に連結している。
【０００５】
上記スライダ３を摺動支持部５に対して摺動調整することにより、ヘッドバンド４とハウジング１との間の距離を調整することが可能になる。この場合にコード６の余剰部分は側方に突出するように露出することになる。すなわちコード６の屈曲して突出する突出部の量の変化によって伸縮構造を達成している。
【０００６】
このような図１に示すコード６の伸縮構造は、図から明らかな如く、コード６が側方に露出されており、この部分においてはコード６が自由に動いてしまうために、外部からの衝撃のためにコード６が断線する恐れがあったり、あるいは別の部材に引掛ける等のトラブルが発生する問題がある。
【０００７】
図２はスライダケース８内にコード６の余剰部分を屈曲させて収納するヘッドホンを示している。すなわちヘッドバンド４の下端側にスライダ３が連結されるとともに、このスライダ３がハンガ２の上端に連設されたスライダケース８に対して摺動可能になっている。
【０００８】
従って図２Ａに示すように、ヘッドバンド４に対してハウジング１を近接させるように調整すると、余剰のコード６がスライダケース８内に屈曲した状態で保持される。これに対して図２Ｂに示すように、ヘッドバンド４に対してハウジング１を下方に離間させると、上記スライダ３がスライダケース８から上方に抜出すために、スライダ３に連結されたコード７もスライダケース８から引出されるようになる。
【０００９】
図２に示すようなスライダケース８内にコード６を屈曲して保持する構造は、コード６をＵ字形にするスライダケース８の部分が小さすぎると、スライダ３を大きく引出した場合にはコード６の長さが不足し、これによってコード６が破断してしまうことになり、このためにコード６を屈曲して保持するスライダケース８の縦方向の寸法をある程度長くする必要がある。従って比較的大きな寸法のスライダケース８を設けなければならず、これによってヘッドホンのコンパクト化が妨げられる。
【００１０】
この他に、例えば特許第３５２０５３１号公報に示されるように、コードをヘッドバンドの保持溝に伸縮不能に配索し、しかもヘッドバンドに対してハウジングを調整不能に取付けるようにし、上記ヘッドバンドの下側にヘッドクッションを取付け、このヘッドクッションによって実質的な高さ調整を行なうようにしているヘッドホンがある。
【００１１】
このような構造は、ヘッドクッションを最大限に伸長した場合においても、なおこのヘッドクッションがヘッドバンドに干渉しないようにしなければならず、これによってヘッドバンドの大きさが大きくなり、このために頭部に装着する部分が大仰になる欠点がある。また頭部に装着する部分がヘッドバンドとヘッドクッションを構成するサスペンダとの２つの部品から構成されることになり、これによって部品点数が増加し、重量も増加する欠点がある。
【特許文献１】特許第３５２０５３１号公報
【発明の開示】
【発明が解決しようとする課題】
【００１２】
本願発明の課題は、ドライブユニットを収納したハウジングの位置を調整してハウジングをヘッドバンドに近付けた場合に、余剰のコードが外部に露出しないようにしたヘッドホンを提供することである。
【００１３】
本願発明のさらに別の課題は、ハウジングをヘッドバンドに近接するように移動させた場合において、余剰のコードを収納するためのスライダケースを必要としないようにしたヘッドホンを提供することである。
【００１４】
本願発明のさらに別の課題は、頭部に装着する部分として、ヘッドバンドの他にサスペンダあるいはヘッドクッションを必要としないようにしたヘッドホンを提供することである。
【００１５】
本願発明のさらに別の課題は、ハウジングをヘッドバンドに近接するように調整した場合において、余剰のコードを外部に露出させることなくしかもコンパクトに保持できるようにしたヘッドホンを提供することである。
【００１６】
本願発明の上記の課題および別の課題は、以下に述べる本願発明の技術的思想、およびその実施の形態によって明らかにされる。
【課題を解決するための手段】
【００１７】
本願の主要な発明は、ヘッドバンドの両端にそれぞれハンガを介してドライブユニットを収納した左右のハウジングを取付けたヘッドホンにおいて、
前記ハンガに中空の筒体から成るスライダが取付けられ、該スライダが前記ヘッドバンドの両端の摺動支持部に摺動自在に支持され、
前記左右のハウジング間に配索されて一方のハウジング内のドライブユニットに駆動電流を流すコードを前記スライダを構成する中空の筒体内に螺旋状にして伸縮自在に収納したことを特徴とするヘッドホンに関するものである。
【００１８】
ここで、前記スライダに軸線方向に延びる引出し溝が形成され、螺旋状にして収納された前記コードを前記引出し溝を通して引出すようにしてよい。また前記コードの一端部が前記摺動支持部内において前記引出し溝から引出されて前記ヘッドバンドの保持溝内に配索されてよい。また前記スライダの下端部が前記ハンガの上端に回動自在に軸受によって連結されるとともに、前記軸受を構成するように前記スライダの下端に該スライダと軸線が直交して取付けられた回動筒体内を前記コードの他端が引出されて前記ハンガの保持溝内に配索されてよい。また前記摺動支持部に爪が設けられ、該爪が前記引出し溝に係合して前記スライダの回転を防止するとともに、前記ヘッドバンドと前記ハンガとの間の距離を短くするように前記スライダを前記摺動支持部内において摺動させると、前記爪が前記スライダ内に螺旋状に収納されている前記コードを軸線方向に縮めるようにしてよい。
【００１９】
本願の別の主要な発明は、ヘッドバンドの両端にそれぞれハンガを介してドライブユニットを収納した左右のハウジングを取付けたヘッドホンにおいて、
前記ハンガにロッド状をなすスライダが取付けられ、該スライダが前記ヘッドバンドの両端の摺動支持部に摺動自在に支持され、
前記左右のハウジング間に配索されて一方のハウジング内のドライブユニットに駆動電流を流すコードを前記ロッド状のスライダの外周面上に螺旋状に巻装して伸縮自在としたことを特徴とするヘッドホンに関するものである。
【００２０】
ここで、前記ロッド状をなすスライダがＵ字状に屈曲され、前記Ｕ字状に屈曲された端部側が前記摺動支持部に摺動自在に支持されるとともに、前記スライダの２本に分離された反対側の端部が前記ハンガの上端に連結されてよい。また前記ロッド状のスライダに巻装されたコードの上端が前記摺動支持部内に引出されるとともに、該摺動支持部に係止手段によって係止されてよい。また前記引出されたコードが前記摺動支持部内の係止ピンの周囲を迂回するように屈曲されて係止されてよい。また前記ロッド状のスライダに巻装されたコードの下端が引出し案内部で引出されて前記ハンガの保持溝に配索されてよい。
【００２１】
本願発明の好ましい態様は、ヘッドバンド長調整機構を持つヘッドホンにおいて、左右のハウジングを電気的に結合するために配索された配線コードの一部がほぼコイル状をしており、当該コイル部分に軸線方向に弾性をもたせるようにしたものである。さらに発展させた態様は、上記のヘッドホンにおいて、ヘッドバンド長調整機構が一対の摺動する管体と支持機構から構成され、管体の内部にコイル状の配線コードを収納し、該配線コードの軸線方向の弾性を利用して管体の摺動に追従するようにしている。あるいはまたヘッドバンド調整機構が一対の摺動するロッドと支持機構とから構成され、かつコイル状の配線コードがそのロッドに巻付けられるように配され、同配線コードの軸線方向の弾性を利用してロッドの摺動方向に追従させるようにしている。
【００２２】
上記の態様によれば、管体状のスライダの内部にコイル状のコードを配する構造とし、スライダの摺動にコードを追従させることによって、コンパクトであってしかもコードが外部に露出しなくなり、これによって外部からの衝撃によるコードの断線を防ぐ構造をもつことになる。一方ロッド状のスライダにコイル状のコードを巻付ける構造は、コードが外部に露出しているものの、スライダによってコードの位置が規制されており、スライダの摺動にコードが追従するために、コードの断線に対する信頼性が向上し、しかもヘッドホンの構造をコンパクトにすることが可能になる。
【発明の効果】
【００２３】
本願の主要な発明は、ヘッドバンドの両端にそれぞれハンガを介してドライブユニットを収納した左右のハウジングを取付けたヘッドホンにおいて、ハンガに中空の筒体から成るスライダが取付けられ、該スライダがヘッドバンドの両端の摺動支持部に摺動自在に支持され、左右のハウジング間に配索されて一方のハウジング内のドライブユニットに駆動電流を流すコードをスライダを構成する中空の筒体内に螺旋状にして伸縮自在に収納するようにしたものである。
【００２４】
従ってこのようなヘッドホンによると、ハウジングのヘッドバンドに対する取付け位置を調整するためにスライダを摺動支持部に対して摺動調整すると、左右のハウジング間に配索されたコードがスライダを構成する筒体内において伸縮調整されることになり、これによってコードの長さ調整が達成される。従って外部にコードを露出させたり、あるいはまたスライダケースのような余剰のコード長を吸収する部材を必要としなくなる。
【００２５】
本願の別の主要な発明は、ヘッドバンドの両端にそれぞれハンガを介してドライブユニットを収納した左右のハウジングを取付けたヘッドホンにおいて、ハンガにロッド状をなすスライダが取付けられ、該スライダがヘッドバンドの両端の摺動支持部に摺動自在に支持され、左右のハウジング間に配索されて一方のハウジング内のドライブユニットに駆動電流を流すコードをロッド状のスライダの外周面上に螺旋状に巻装して伸縮自在としたものである。
【００２６】
従ってこのようなヘッドホンによると、ヘッドバンドに対してハウジングの取付け位置を調整するためにスライダを摺動支持部において摺動調整すると、ロッド上のスライダの外周面上に螺旋状に巻装されたコードが伸縮し、これによってコードの長さの変更に対応することが可能になる。従ってロッド上のスライダの外周面から側方に大きくコードが突出したり、あるいはまたロッド上のスライダ上においてコードが突っ張ったりすることがなくなる。
【発明を実施するための最良の形態】
【００２７】
以下本願発明を図示の実施の形態によって説明する。まず第１の実施の形態について説明する。図３および図４は第１の実施の形態のヘッドホンの全体の構成を示している。ヘッドホンは左右一対のハウジング１５を備えている。なおこれらのハウジング１５内にはその入口部分を閉塞するようにバッフル板が取付けられ、このバッフル板の内側に、小型スピーカから成るドライブユニットが取付けられており、このドライブユニットのボイスコイルに対して信号電流を流すと、スピーカと同じ原理によって音声が再生されるようになっている。そしてハウジング１５はハンガ１６に回動可能に連結されるとともに、ハンガ１６を介してヘッドバンド１７に取付けられるようになっている。また上記ハウジング１５の内側の周囲の部分にはイヤパッド１８が取付けられる。
【００２８】
ここで上記ハウジング１５とヘッドバンド１７との間の位置を調整するための調整機構が設けられている。この調整機構は、図５および図６に示すように、ヘッドバンド１７の両端にそれぞれ取付けられた摺動支持部２０を備え、この摺動支持部２０の摺動孔２１にスライダ２２を摺動可能に支持するように構成されている。スライダ２２は上記ハウジング１５を回動可能に支持するハンガ１６の上端に回動軸受部２３によって回動可能に支持されている。
【００２９】
ヘッドバンド１７の保持溝３１に配索され、左側のハウジング１５を通して右側のハウジング１５内のドライブユニットに信号電流を供給するためのコード２７のカール部２８が、上記スライダ２２内に螺旋状に収納保持されている。すなわちコード２７は図７に示すように、その両端の近傍にそれぞれカール部２８を備え、このカール部２８が上記スライダ２２内に螺旋状になった状態で収納されている。そして上記スライダ２２の下端側には図８に示すように回動筒体２９が連結され、この回動筒体２９の部分でスライダ２２は回動軸受部２３に回動可能に支持される。
【００３０】
このようにハンガ１６の回動軸受部２３によって回動自在に連結されたスライダ２２には、その外表面上に軸線方向に延びる引出し溝３０が形成され、この引出し溝３０を通してコード２７が引出されるようになっている。なおカール部２８の上端側のコード２７は、スライダ２２から引出された後に、摺動支持部２０の内部を通過して、ヘッドバンド１７の保持溝３１に配索されるようになっている（図９参照）。また上記スライダ２２の下端側であって回動筒体２９を通って回動軸受部２３から引出されたコード２７は、ハンガ１６の保持溝３２内に配索されるようになっている。
【００３１】
このように本実施の形態のヘッドホンは、コード２７が図７に示すようにその両端にそれぞれカール部２８を備え、このようなカール部２８が左右のスライダ２２内に図８ＡおよびＢに示すように、螺旋状にして伸縮自在に収納されている。従ってスライダ２２を図９Ａに示すように、摺動支持部２０から引出すと、中空のスライダ２２内のコード２７のカール部２８が伸長するようになる。これに対してスライダ２２をヘッドバンド１７の摺動支持部内に押込むと、図９Ｂに示すようにコード２７のカール部２８が収縮するようになる。
【００３２】
このようにスライダ２２の摺動によってハウジング１５とヘッドバンド１７との間の距離の調整を行なうと、コード２７の長さ調整によって余る部分あるいは不足する部分を、中空のスライダ２２内におけるカール部２８の伸縮によって対応することが可能になる。そしてこのような構造は、伸縮の際にコード２７が外部に露出することがなく、このために外部からの衝撃によるコードの断線を防ぐことが可能になる。またコード２７を十分に引出した場合においても、なおこのスライダ２２内において螺旋状の状態で余裕を持ってコード２７のカール部２８が螺旋状の形態を維持しているために、コード２７あるいはそのカール部２８に張力がかかって断線事故を生ずることがない。
【００３３】
このようなヘッドホンによって音楽を聴く場合には、上述の如くスライダ２２の摺動支持部２０に対する引出し長さを調整し、これによってヘッドバンド１７に対するハウジング１５の高さ調整を行ない、適正な位置にハウジング１５を位置調整する。このような状態で頭部に装着するとともに、上記コード２７を通して信号電流を供給する。すると信号電流が左のハウジング１５内のドライブユニットのみならず、右側のハウジング１５のドライブユニットにも供給され、これによってそれぞれのハウジング１５内のドライブユニットが音声を再生することになり、これによって例えば音楽を楽しむことが可能になる。
【００３４】
次に上記実施の形態の変形例を図１０および図１１によって説明する。この変形例は、スライダ２２を支持している摺動支持部２０内に摺動爪３６を配したものである。摺動爪３６は図１１に示すように、その上面に突条３７を備えるとともに、突条３７の一端側の部分にはさらに上方に突出するように突出部３８が形成されている。さらに上記突条３７上には引出し孔３９が形成されるとともに、この引出し孔３９と連通する引出し溝４０が摺動爪３６の側方に開放されている。
【００３５】
従ってこのような摺動爪３６を摺動支持部２０内に配するとともに、この摺動爪３６の突条３７を引出し溝３０に係合させる。すると摺動爪３６の突出部３８が上記スライダ２２の内部に突出するようになる。スライダ２２は、摺動爪３６の突条３７および突部３８によって、摺動支持部２０に対する回転が防止される。
【００３６】
従ってこのような構成によると、とくに図１０に示すように、スライダ２２を摺動支持部２０に対して大きく押込んだ場合には、上記摺動爪３６の突出部３８がコード２７のカール部２８であってスライダ２２内に収納されている螺旋状の部分の上端を押圧することになる。このことはとくにスライダ２２内におけるコード２７のカール部２８の収縮動作を助長することになり、これによってカール部２８が効果的に収縮するようになる。なおカール部２８と連続するコード２７の上端側の部分は、この摺動爪３６の引出し孔３９から引出し溝４０を通して側方に引出され、摺動支持部２０内を通過し、ヘッドバンド１７の保持溝３１内に配索される。
【００３７】
次に別の変形例を図１２によって説明する。この変形例の構成は、ヘッドバンド１７の両端の部分に、連結部４８を介して筒体４６を取付けるようにし、この筒体４６に対して摺動自在にそれよりも一回り小さな中間の筒体４５を配し、さらに筒体４５内に小さな筒体４４を摺動自在に配するようにしている。ここで１番内側の小さな筒体４４が回動軸受部２３を介してハンガ１６の上端に回動可能に連結されるようになっている。
【００３８】
従ってヘッドバンド１７に対してハウジング１５を大きく離す場合には、図１２Ａに示すように、ヘッドバンド１７に連結部４８を介して取付けられている大きな筒体４６から中間の筒体４５を下方に引出し、さらに中間の筒体４５から下端側の小さな筒体４４を引出すようにする。従ってここでは、外側の大きな筒体４６が中間の筒体４５に対して摺動支持部を構成し、中間の筒体４５が先端側の筒体４４に対して摺動支持部を構成することになる。
【００３９】
ハウジング１５をヘッドバンド１７に対して近接して配する場合には、図１２Ｂに示すように、下側の小さな筒体４４を中間の筒体４５内に収納し、さらに中間の筒体４５を外側の大きな筒体４６内に収納する。ここで３つの筒体４４、４５、４６の相対的な収納量を調整することによって、ヘッドバンド１７に対するハウジング１５の高さを任意に調整できるようになる。
【００４０】
しかもこのような調整の際に、上記コード２７のカール部２８が１番内側の筒体４４内において螺旋状であって伸縮自在に収納されている。しかもこのようなカール部２８の伸縮量が、図１２Ａ、Ｂから明らかなように、３つの筒体４４〜４６の相対的な伸縮量に応じて適正に伸縮するために、これによってコード２７の長さ調整が行なわれるようになる。しかもこのときに、コード２７が外部に露出することはない。
【００４１】
次に図１３〜図１５によって、別の実施の形態を説明する。この実施の形態は、中空の筒体から成るスライダ２２に代えて、Ｕ字状に屈曲したスライダ５２が用いられるようになっており、このようなスライダ５２によって、ヘッドバンド１７とハウジング１５との間の距離を調整するようにしている。スライダ５２の上端側の屈曲された部分がヘッドバンド１７の両端に連設された摺動支持部２０の摺動孔２１内に摺動自在に支持されるとともに、スライダ５２の２本の下端側の部分は互いに近接するように屈曲されて屈曲部５３を構成している。そしてこのような屈曲部５３が図１５に示すように、ハンガ１６の上端側の軸受リブ５４の部分に挿通され、これによってスライダ５２の下端がハンガ１６の上端に回動可能に連結されている。このような構造によって、上記第１の実施の形態における回動連結の構造と同等の機能を達成するようにしている。
【００４２】
左右のハウジング１５間における信号の伝達を行なうためのコード２７のカール部２８は、上記スライダ５２を構成するロッドの内の１本の部分にその外周面上に螺旋状に巻装されている。ここでスライダ５２上において、上記コード２７のカール部２８は伸縮可能になっている。
【００４３】
なおカール部２８の上端側のコード２７の部分は図１５Ａ、Ｂに示すように、摺動支持部２０内に形成された一対の係止ピン５７と突部５８とによって係止されるようになっている。そして係止ピン５７と突部５８とによって係止されたコード２７の端部は上方に引出され、ヘッドバンド１７の保持溝６０内に保持されるようになっている。これに対してカール部２８の下端側の部分のコード２７は、上記スライダ５２の両側の屈曲部５３間から引出され、ハンガ１６の内面に形成された保持溝３２内に配索されている。
【００４４】
以上のような構成において、ハウジング１５をヘッドバンド１７に対して高さ調整する場合には、図１５Ａおよび図１５Ｂに示すように、摺動支持部２０に対してスライダ５２が移動することになり、このときにスライダ５２を構成する一方のロッド上において、コード２７のカール部２８が図１５Ａに示すように収縮したり、図１５Ｂに示すように伸長したりする。従ってスライダ２２の移動に伴うコード２７の長さをカール部２８の伸縮によって吸収することが可能になる。そしてこのような伸縮動作の際にも、コード２７のカール部２８が外部に大きく突出することがなく、あるいはまた必要以上に緊張するように引っ張られることがない。従ってコード２７の断線事故を生ずることが防止される。
【００４５】
図１６および図１７は上記実施の形態の変形例を示しており、ここではＵ字状に屈曲されたスライダ５２に代えて、第１の実施例と同様の比較的大きな寸法の筒体から成るスライダ２２が用いられている。そしてこのスライダ２２上にコード２７のカール部２８が巻装される構造となっている。なおここで、カール部２８の上端側においてコード２７は摺動支持部２０の案内溝６３の部分に引出されるようになっている。これに対してカール部２８の下端側においては、コード２７が回動軸受部２３の内部を通過し、ハンガ１６の内側の保持溝３２内に配索されるようになっている。
【００４６】
このような構造においても、ハウジング１５をヘッドバンド１７に対して高さ方向に伸縮調整する際に、スライダ２２上に巻装されたコード２７のカール部２８が伸縮するようになり、これによってコード２７の長さ調整が達成されることになる。従ってこのような形態でも、上記実施の形態と同様の作用効果を奏することが可能になる。
【００４７】
以上本願発明を図示の実施の形態によって説明したが、本願発明は上記実施の形態によって限定されることなく、本願発明の技術的思想の範囲内において各種の変更が可能である。例えば上記実施の形態における、スライダや摺動支持部の組合わせ構造については、各種の設計変更が可能である。
【産業上の利用可能性】
【００４８】
本願発明は、ヘッドバンドの部分に一方のハウジング内のドライブユニットへ信号電流を通すためのコードを配索するようにしたヘッドホンに利用することが可能である。
【図面の簡単な説明】
【００４９】
【図１】従来のヘッドホンの構造を示す側面図である。
【図２】スライダケースを備える従来のヘッドホンの構造を示す側面図である。
【図３】第１の実施の形態のヘッドホンの正面図である。
【図４】同ヘッドホンの側面図である。
【図５】同ヘッドホンのスライダの摺動機構を示す縦断面図である。
【図６】同スライダの摺動機構を示す斜視図である。
【図７】コードの形態を示す正面図である。
【図８】スライダ内におけるコードの形態を示す縦断面図および拡大横断面図である。
【図９】スライダの摺動動作を示す要部側面図である。
【図１０】摺動爪を備えた変形例のスライダの摺動機構を示す要部拡大断面図である。
【図１１】同摺動爪の拡大斜視図である。
【図１２】３つの筒体による摺動機構を備える変形例の要部正面図である。
【図１３】第２の実施の形態のヘッドホンの正面図である。
【図１４】同ヘッドホンのスライダの摺動機構を示す要部斜視図である。
【図１５】スライダの摺動動作を示す拡大側面図である。
【図１６】変形例の摺動機構を示す要部斜視図である。
【図１７】同要部拡大断面図である。
【符号の説明】
【００５０】
１…ハウジング、２…ハンガ、３…スライダ、４…ヘッドバンド、５…摺動支持部、６…コード、８…スライダケース、１５…ハウジング、１６…ハンガ、１７…ヘッドバンド、１８…イヤパッド、２０…摺動支持部、２１…摺動孔、２２…スライダ、２３…回動軸受部、２７…コード、２８…カール部、２９…回動筒体、３０…引出し溝、３１…保持溝、３２…保持溝、３３…突条、３６…摺動爪、３７…突条、３８…突出部、３９…引出し孔、４０…引出し溝、４４…筒体（小）、４５…筒体（中）、４６…筒体（大）、４８…連結部、４９…引出し孔、５２…スライダ、５３…屈曲部、５４…軸受リブ、５７…係止ピン、５８…突部、６０…保持溝、６３…案内溝
【図１】
2008066977.tif 000003
【図２】
2008066977.tif 000004
【図３】
2008066977.tif 000005
【図４】
2008066977.tif 000006
【図５】
2008066977.tif 000007
【図６】
2008066977.tif 000008
【図７】
2008066977.tif 000009
【図８】
2008066977.tif 000010
【図９】
2008066977.tif 000011
【図１０】
2008066977.tif 000012
【図１１】
2008066977.tif 000013
【図１２】
2008066977.tif 000014
【図１３】
2008066977.tif 000015
【図１４】
2008066977.tif 000016
【図１５】
2008066977.tif 000017
【図１６】
2008066977.tif 000018
【図１７】
2008066977.tif 000019